(57)【要約】【課題】本体部をより良好な保持感で保持できる撮像装置を提供する。【解決手段】撮像素子(4)を有する本体部(1)と、本体部(1)を、撮像素子(4)の画素配列の水平及び垂直方向がそれぞれ水平及び上下となる基準姿勢にした状態で、本体部(1)における前部の第１連結部(R1)，後下部の第２連結部(R2)，及び後上部の第３連結部(R3)で連結支持されたグリップベルト(21)と、を備えた。【選択図】図２
2018097188.tif 000002
【特許請求の範囲】
【請求項１】
一方の端部から一の方向に延在し、他方の端部に二股に分岐した第１のベルト部と第２のベルト部とを有するグリップベルト。
【請求項２】
撮像装置の本体部に取りつけられ、
前記一方の端部が前記本体部の前部に取りつけられ、
前記第１のベルト部が前記本体部の後下部に取りつけられ
前記第２のベルト部が前記本体部の後上部に取りつけられることを特徴とする請求項１記載のグリップベルト。
【請求項３】
前記一方の端部と前記第１のベルト部との間が前記一の方向に延在し、
前記第２のベルト部は、前記一の方向に対し斜交又は直交する方向に分岐延出していることを特徴とする請求項１又は請求項２記載のグリップベルト。
【請求項４】
撮像素子を有する本体部と、
前記本体部を、前記撮像素子の画素配列の水平及び垂直方向がそれぞれ水平及び上下となる基準姿勢にした状態で、前記本体部における前部の第１連結部，後下部の第２連結部，及び後上部の第３連結部で連結支持されたグリップベルトと、
を備えた撮像装置。
【請求項５】
前記グリップベルトは、一方の端部から一の方向に延在し、他方の端部が二股に分岐して第１のベルト部及び第２のベルト部とされており、
前記一方の端部が前記第１連結部に支持され、前記第１のベルト部が前記第２
連結部に連結支持され、前記第２のベルト部が前記第３連結部に連結支持されていることを特徴とする請求項４記載の撮像装置。
【請求項６】
前記本体部を基準姿勢にした状態での前記本体部の側面視において、前記第１連結部と前記第２連結部とを繋ぐ第１の仮想線分は光軸よりも下方において前後方向に延び、前記第３連結部は、前記第１の仮想線分に対し直交又は斜交する第２の仮想線分上に位置していることを特徴とする請求項４又は請求項５記載の撮像装置。
【請求項７】
前記第３連結部は、前記本体部の側面と上面とが接続する部位の後部に位置していることを特徴とする請求項４〜６のいずれか１項に記載の撮像装置。
【請求項８】
前記上面に操作部を有し、
前記第３連結部は、前記操作部よりも後方に位置していることを特徴とする請求項７記載の撮像装置。
【請求項９】
前記本体部と前記グリップベルトとの間に手を進入して前記本体部を保持した状態で、前記手の人差し指から小指までの中手指節関節が外部に露出することを特徴とする請求項４〜８のいずれか１項に記載の撮像装置。
【発明の詳細な説明】
【技術分野】
【０００１】
本発明は、グリップベルト及び撮像装置に係り、特に、撮像装置の本体部を、良好な保持感で保持できるグリップベルト及び撮像装置に関する。
【背景技術】
【０００２】
本体部と、本体部の光軸方向である前後方向の前端及び後端に両端を支持されたグリップベルトと、の間に手を差し入れて、本体部を手で保持し使用する撮像装置が知られている。
このような撮像装置は、いわゆるハンディタイプと称され、例えばスチルカメラ、ビデオカメラがある。特許文献１には、ビデオカメラの例が記載されている。
【先行技術文献】
【特許文献】
【０００３】
【特許文献１】特開２００６−２５１１７７号公報
【発明の概要】
【発明が解決しようとする課題】
【０００４】
従来のハンディタイプの撮像装置は、グリップベルトが、本体部の前端と後端との二点で支持され、手で本体部を保持した状態で、本体部の重心位置が、手から十分離隔し、かつグリップベルトの支持位置よりも上方に位置しているのが一般的である。
そのため、本体部が、前後方向を軸として上部が手から離れ方向に回動しようとして、使用者には手に密着している良好な保持感が得られにくく、特許文献１に記載されたような改善が重ねられていた。
【０００５】
この状況において、近年、撮像装置の更なる小型化及びバッテリの技術向上により、本体部の形状が変化してきている。
具体的には、本体部の手に当てる部分に装着配置していたバッテリは、従来の扁平な略直方体状のものではなく、前後方向に延びる柱形状（例えば円柱形状）のものを内蔵できるようになってきている。
柱形状のバッテリを適用した場合、本体部における手に当てる部分の側方突出が顕著になって重心位置が手からさらに遠くなり、良好な保持感が従来以上に得にくくなる。
そのため、本体部をより良好な保持感で保持できるための更なる工夫が望まれる。
【０００６】
そこで、本発明が解決しようとする課題は、本体部をより良好な保持感で保持できるグリップベルト及び撮像装置を提供することにある。
【課題を解決するための手段】
【０００７】
上記の課題を解決するために、本発明は次の構成を有する。
１）  一方の端部から一の方向に延在し、他方の端部に二股に分岐した第１のベルト部と第２のベルト部とを有するグリップベルトである。
２）  撮像素子を有する本体部と、
前記本体部を、前記撮像素子の画素配列の水平及び垂直方向がそれぞれ水平及び上下となる基準姿勢にした状態で、前記本体部における前部の第１連結部，後下部の第２連結部，及び後上部の第３連結部で連結支持されたグリップベルトと、
を備えた撮像装置である。
【発明の効果】
【０００８】
本発明によれば、本体部をより良好な保持感で保持できる。
【図面の簡単な説明】
【０００９】
【図１】図１は、本発明の実施の形態に係る撮像装置の実施例であるビデオカメラ５１の第１の斜視図である。
【図２】図２は、ビデオカメラ５１の第２の斜視図である。
【図３】図３は、ビデオカメラ５１の右側面図である。
【図４】図４は、ビデオカメラ５１の後面図である。
【図５】図５は、本発明の実施の形態に係るグリップベルトの実施例であるグリップベルト２１を説明するための展開平面図である。
【図６】図６は、ビデオカメラ５１を右手ｆで保持した状態を説明するための第３の斜視図である。
【図７】図７は、ビデオカメラ５１を右手ｆで保持した状態を説明するための右側面図である。
【図８】図８は、ビデオカメラ５１を右手ｆで保持した状態を説明するための後面図である。
【図９】グリップベルト２１の変形例１であるグリップベルト２１Ａを説明するための右側面図である。
【図１０】グリップベルト２１の変形例２であるグリップベルト２１Ｂを説明するための右側面図である。
【発明を実施するための形態】
【００１０】
本発明の実施の形態に係るグリップベルト及び撮像装置を、実施例であるグリップベルト２１及びビデオカメラ５１により説明する。
まず、外観上の概略構成を、図１〜図４を参照して説明する。以下の説明において、前後方向を光軸ＣＬ方向（被写体側を前）とし、ビデオカメラ５１で得られる画像の上下左右を、それぞれ上下左右方向として各図に示される矢印で規定している。
【００１１】
図１は、ビデオカメラ５１を右前斜め上方から見た斜視図である。
図２は、ビデオカメラ５１を右後斜め上方から見た斜視図である。
図３及び図４は、それぞれビデオカメラ５１の右側面図及び後面図である。
【００１２】
ビデオカメラ５１は、前後に長い本体部１と、本体部１の右側面２ａ４の側に取り付けられたグリップベルト２１と、を有する。
図１において、本体部１は、筐体２と、筐体２の内部の前部に配置されたレンズ部３と、レンズ部３の直後に配置され、レンズ部３による被写体の光学像を電気信号に変換する撮像素子４と、撮像素子４からの電気信号を処理する回路部５と、を有する。
以下、本体部１の、撮像素子４の画素配列における水平及び垂直方向がそれぞれ水平及び上下となる姿勢を、基準姿勢と称する。
【００１３】
図１において、筐体２の左側面２ａ５には、本体部１に沿う姿勢の閉位置（実線）と、閉位置に対し概ね９０°回動して開いた開位置（二点鎖線）と、の間で回動可能（矢印ＤＲａ方向）なモニタ部６が取り付けられている。
筐体２の上面２ａ１の後部には、操作部としてのズームスイッチ７が配置されている。
ズームスイッチ７は、ビデオカメラ５１の通常の持ち方で、人差し指と中指によって前後に揺動操作するシーソータイプである。
図２及び図４において、筐体２の後面２ａ３の中央に対するやや右上部には、録画釦８が配置されている。録画釦８の左側には、入出力端子を覆う端子カバー９が、開閉可能に取り付けられている。
【００１４】
図１及び図４に示されるように、筐体２の内部の右部には、バッテリ１０が収容されている。バッテリ１０は、柱状（例えば円柱）を呈し、筐体２内に、前後方向に延在する姿勢で収められている。
【００１５】
図４に示されるように、バッテリ１０の左右方向の収容位置は、筐体２の上面２ａ１の右縁の位置Ｐ１及び下面２ａ２の右縁の位置Ｐ２に対し、右方に張り出している。
従って、意匠上、本体部１には、位置Ｐ１及び位置Ｐ２を繋ぐ仮想の線分ＬＮ１よりも右方に張り出し、手のひらを当てるための当て部２ｂが形成されている。
実施例において線分ＬＮ１は、ほぼ上下方向に延びるように設定されている。
【００１６】
当て部２ｂの外形形状は、図４に示される後面視で、右方凸の弧状とされている。
また、当て部２ｂの右方への最大突出位置である位置Ｐ３は、高さラインＬＮで示されるように、上下位置において筐体２の高さに相当する位置Ｐ１と位置Ｐ２との間の高さＨ１２の中間位置よりも下側にある。すなわち、位置Ｐ２を基準とした位置Ｐ３の高さＨ２３は、
Ｈ２３＜Ｈ１２／２  …（式１）
である。
【００１７】
これにより、図４の後面視で位置Ｐ３を通る当て部２ｂの外形線は、上方の位置Ｐ１に対し緩やかな弧状曲線ＬＮ２で接続し、下方の位置Ｐ２に対して、弧状曲線ＬＮ２よりも急な弧状曲線ＬＮ３で接続している。
【００１８】
当て部２ｂは、前後方向に延在しており、この例では、筐体２の前部から後部に至る。また、当て部２ｂは、延在範囲の前後方向のいずれの位置でも（式１）が満たされるように形成されている。
【００１９】
図４に示されるように、質量の大きいバッテリが、筐体２内の右下に偏った位置にあるため、モニタ部６が閉位置のときの重心Ｇの位置も、筐体２の左右中央より右方にずれたやや下側の位置にある。モニタ部６を開位置にすると、重心Ｇの位置は左方にずれる。
【００２０】
次に、グリップベルト２１について詳述する。
グリップベルト２１は、筐体２に対し、前部の１点である連結部Ｒ１と、後部の２点である連結部Ｒ２及びＲ３と、の３点で連結支持されている。
この内、連結部Ｒ２は製造者側で連結し、連結部Ｒ１、Ｒ３は、ビデオカメラ５１を購入した使用者が連結するようになっている。
【００２１】
連結部Ｒ１は、筐体２の右側面２ａ４における光軸ＣＬよりも下方の、前面２ａ６又は前面２ａ６近くに位置している。
筐体２の連結部Ｒ１には、使用者がグリップベルト２１を取り付けるためのフックベルト２ｃが設けられている。
フックベルト２ｃは、図１に示されるように、一端側が筐体２側に固定された連結ベルト２ｃ１と連結ベルト２ｃ１に保持されたリング２ｃ２とを有する。
【００２２】
連結部Ｒ２は、図４で明らかなように、筐体２の後面２ａ３における、光軸ＣＬの右下側に位置している。この位置は、録画釦８に対する右下側でもある。
筐体２の連結部Ｒ２には、予めグリップベルト２１に取り付けられたブラケット２ｅ（図４及び図５参照）が、撮像装置５１の製造行程で取り付けられる。
従って、使用者が購入したビデオカメラ５１において、グリップベルト２１は、筐体２に対し連結部Ｒ２のみで連結された状態になっている。
【００２３】
連結部Ｒ３は、筐体２における上面２ａ１と右側面２ａ４とが接続する稜線部２ａ７の後部に位置している。ビデオカメラ５１の外観形状において、稜線部２ａ７は、入隅となる凹稜線とされている。
【００２４】
筐体２の連結部Ｒ３には、図１〜図４に示されるように、グリップベルト２１を使用者が連結するためのフック２ｄが設けられている。
フック２ｄは、棒状の基部２ｄ１の両端から一対の腕が同方向に延出したコ字状に形成されている。
基部２ｄ１は、グリップベルト２１が引っ掛けられてそれを支持する部分であり、前後方向に延在するように設けられている。
【００２５】
また、フック２ｄは、ズームスイッチ７よりも後方に位置している。
詳しくは、図３に示されるように、フック２ｄの前端部２ｄ２とズームスイッチ７の後端部７ａとの間の前後方向の距離Ｌａが、０（ゼロ）以上とされる。
【００２６】
図５は、グリップベルト２１を、ブラケット２ｅが取り付けられた状態で説明するための展開部品図であり、その向きは本体部１に取り付けられた状態において当て部２ｂ側から見たものに相当する。
また、前後上下の各方向は、理解容易のため、概ね、使用状態でのビデオカメラ５１の前後上下の方向に対応させてある。従って、図５の紙面奥側が右方、紙面手前側が左方となる。
【００２７】
グリップベルト２１は、図５において、上方にわずかに凸となる弓状を呈して前後に平たく延びる基部２２を有する。
基部２２は、グリップベルトの材料として周知のもので形成されており、折り曲げ及び厚さ方向の圧縮において柔軟性を有する。材料例は、ＰＥＴ（ポリエチレンテレフタレート）樹脂である。
【００２８】
基部２２は、その後部において、上下に二股に分かれる分岐部２２ａを有する。
詳しくは、分岐部２２ａでは、基部２２の曲率をそのままに延長して延出する下部連結ベルト２３と、上方に分離延出する部分である分離上部２２ｇ及び分離上部２２ｇから延出した上部連結ベルト部２４と、に分岐する。
【００２９】
詳しくは、上部連結ベルト部２４は、基部２２の延在方向に沿う下部連結ベルト２３に対し、分岐角度θａで上方分岐する。分岐角度θａは、例えば６０°であり、４５°以上であることが望ましい（詳細は後述する）。
すなわち、上部連結ベルト部２４は、基部２２の延在方向に対し直交又は斜交する方向に延在している。
下部連結ベルト２３の上縁と、上部連結ベルト部２４の下縁と、を繋ぐ基部２２の分岐部２２ａの後縁部２２ａ１は、内側凸の滑らかな弧状に形成されている。
【００３０】
上部連結ベルト部２４及び下部連結ベルト２３は、折り曲げにおいて柔軟性を有し、例えば、ＰＥＴ樹脂で形成される。
【００３１】
下部連結ベルト２３は、先端側が、ブラケット２ｅの孔２ｅ１に通されて折り返し固定されている。これにより、ブラケット２ｅは、下部連結ベルト２３の先端に保持される。
【００３２】
グリップベルト２１には、２ヶ所において、面ファスナの雌雄組みが取り付けられている。
まず、１ヶ所目は、基部２２における右面２２ｓ１（図５の紙面裏側、図１も参照）であり、右面２２ｓ１において、延在方向の概ね中央部分を挟む前方と後方とに離隔して、面ファスナの雌雄一方側である第１面ファスナ２２ｂと、他方側である第２面ファスナ２２ｃと、が取り付けられている。
【００３３】
これにより、図１に示されるように、基部２２の前端部２２ｅを、フックベルト２ｃのリング２ｃ２に内側（筐体２側）から外側に向けて通して折り返し、第１面ファスナ２２ｂを第２面ファスナ２２ｃに係止させることで、グリップベルト２１の前端部分を、連結部Ｒ１において連結支持させることができる。
【００３４】
また、前端部２２ｅの折り返し長さを変えることにより、すなわち、第２面ファスナ２２ｃに対する第１面ファスナ２２ｂの前後方向の係止位置を変えることにより、グリップベルト２１の前後方向の延面距離を長短調整できる。
【００３５】
２ヶ所目は、上部連結ベルト部２４である。
上部連結ベルト部２４の先端側の左面（図５の紙面表側）に、面ファスナの雌雄の一方側である第３面ファスナ２４ａが取り付けられている。
また、基部２２における上部連結ベルト部２４の近傍には、第３面ファスナ２４ａが係止可能な雌雄の他方側である第４面ファスナ２２ｄが取り付けられている。
従って、第３面ファスナ２４ａと第４面ファスナ２２ｄとの間の折り返し部分２４ｂは、上部連結ベルト部２４の素地が露出した部分となる。
【００３６】
上部連結ベルト部２４は、図２に示されるように、先端側をフック２ｄの基部２ｄ１に上から下へ掛けるように通して折り返し、第３面ファスナ２４ａを、基部２２に設けられた第４面ファスナ２２ｄに係止させることで、連結部Ｒ３に連結支持させることができる。
【００３７】
上述のように、本体部１及び本体部１に取り付けられたグリップベルト２１を備えた撮像装置５１は、図６〜図８に示される保持態様で、右手ｆにより保持される。図６〜図８には、本体部１が基準姿勢とされた状態が示されている。
図６は、撮像装置５１を、後右斜め上方から見た斜視図であり、図２に対応している。
図７は、撮像装置５１の右側面図であり、図３に対応している。
図８は、撮像装置５１の後面図であり、図４に対応している。
【００３８】
図６〜図８に示されるように、使用者が本体部１を保持する際には、まず、右手ｆを、筐体２の当て部２ｂ（図８）と、グリップベルト２１の基部２２との間に下方から上方に向け差し入れる。
次いで、手の平と当て部２ｂとが適度な圧迫感で密着し、本体部１を安定保持できるように、グリップベルト２１を締め上げる。
具体的には、基部２２における連結部Ｒ１と連結部Ｒ２との間の延面距離を、連結部Ｒ１におけるリング２ｃ２での折り返し量を調整して（多くして）適度に短くする。
【００３９】
また、本体部１の上部が、保持した右手ｆから離れる方向に回動しそうな場合には、回動を阻止して右手ｆに密着させるように、上部連結ベルト部２４の折り返し長さを調整して、連結部Ｒ３と右手ｆとの間の間隔を適度に短くすることができる。
保持終了で右手ｆを下方に抜くには、連結部Ｒ１の折り返し量を減らしてグリップベルト２１を緩めればよく、上部連結ベルト部２４の折り返しを調整する必要はない。
【００４０】
図６及び図７に示されるように、本体部１の保持の際に、親指ｆ１は、下部連結ベルト２３と上部連結ベルト部２４との間に通すことで自ずと録画釦８に掛かるので、使用者は、録画の開始／停止の操作を容易に行える。
人差し指ｆ２及び中指ｆ３は、自ずとズームスイッチ７の前後両端に掛かるので、使用者」は、それぞれワイド（ズームアウト）及びテレ（ズームイン）の操作を容易に行える。
薬指ｆ４及び小指ｆ５は、筐体２の上面２ａ１に位置して、撮像装置５１の姿勢を安定させるように保持を補助する。
【００４１】
この保持態様において、グリップベルト２１は、筐体２における前下部の連結部Ｒ１と、筐体２の後下部の連結部Ｒ２及び後上部の連結部Ｒ３と、の３点で筐体２に対し連結されている。
そして、グリップベルト２１の連結部Ｒ１と連結部Ｒ２との間の延面距離を、基部２２の前端部２２ｅの折り返し量で調整することで、保持した右手ｆを、筐体２の当て部２ｂに適度な押圧力で当てることができる。
【００４２】
また、上部連結ベルト部２４における基部２２と連結部Ｒ３との間の延面距離の長短を、フック２ｄでの折り返し量の減増により調整することで、筐体２が、図８に示される重心Ｇを中心とする反時計回り方向（矢印ＤＲｂ）に回動することを防止できる（回動防止の意味で矢印ＤＲｂに×印を付与）。
すなわち、上部連結ベルト部２４により、本体部１の上部が右手ｆから離れるよう回動するのを防止できる。
これにより、筐体２と右手ｆとの密着度が向上し、使用者は良好な保持感が得られる。
【００４３】
また、上部連結ベルト部２４は、既述のように、基部２２からその延在方向に対して上方に分岐して設けられている。
これにより、上部連結ベルト部２４における基部２２と連結部Ｒ３との間の延面距離を調整しても、基部２２の延面距離調整で得られた張り具合に対応した手の甲を押圧する力に大きな影響を与えない。
すなわち、右手ｆの当て部２ｂへの圧着感と、本体部１を回動不能とすることでの右手ｆへの追従感及び密着感と、を、実質独立して調整できる。
これにより、使用者はより良好な保持感が得られる。
【００４４】
また、図３に示されるように、フック２ｄは、ズームスイッチ７よりも後方に配置されている。
詳しくは、フック２ｄの前端部２ｄ２とズームスイッチ７の後端部７ａとの間の前後方向の距離を距離Ｌａとしたときに、前端部２ｄ２と後端部７ａとについて、前後方向位置を揃える（Ｌａ＝０）、又は間に間隙を設けている（Ｌａ＞０）。
そのため、ズームスイッチ７の後部を下げる操作（ズームダウン）をする人差し指に、上部連結ベルト部２４が干渉しにくくなっている。
これにより、使用者は、良好な保持感が得られると共に、ズーム操作においても良好な操作感が得られる。
【００４５】
図６〜図８に示されるように、グリップベルト２１の分岐部２２ａにおける後縁部２２ａ１は、筐体２を保持した右手ｆの親指ｆ１の根本部位ｆ１ａに当接する。この根本部位ｆ１ａは、手のひらの母指球に対応した甲側の部位であり、親指ｆ１側から手の厚みが徐々に増加する部位である。
【００４６】
そこで、グリップベルト２１では、既述のように後縁部２２ａ１を、基部２２の前端部２２ｅに向け抉れた弧状に形成してある。
そのため、後縁部２２ａ１は、根本部位ｆ１ａにおける右手ｆの厚みの増加方向に対し、直交方向ではなくできるだけ沿った方向に延在して、右手ｆに当接するようになっている。
これにより、後縁部２２ａ１が右手ｆに食い込むように当たることがなく、本体部１の保持感が良好となる。
【００４７】
グリップベルト２１の基部２２の形状は、撮像装置５１に線分ＬＮ４(図７参照)を仮想設定して次のようにするとよい。
【００４８】
すなわち、線分ＬＮ４は、図７に示される、撮像装置５１を右手ｆで把持して光軸ＣＬ及び左右方向が水平となる姿勢にしたときの右側面視において、グリップベルト２１の連結部Ｒ１における上下方向の中央位置Ｒ１ｃと、連結部Ｒ２における上下方向の中央位置Ｒ２ｃと、を繋ぐ線分とする。
このときに、基部２２の形状は、線分ＬＮ４を含むように形成されていることが好ましい。図７において線分ＬＮ４の延びる方向は、連結部Ｒ１及び連結部Ｒ２における互いに逆向きの張力Ｔ１、Ｔ２の方向に相当する。
【００４９】
グリップベルト２１は、線分ＬＮ４を含むように基部２２を形成することで、基部２２に曲がりや皺などの変形が生じにくく、基部２２が右手ｆの甲に面当たりで当たるようになる。これにより、使用者の本体部１の保持感が良好となる。
また、基部２２に変形が生じにくいことから、グリップベルト２１の寿命が長くなりより長期間使用することができる。
【００５０】
また、図７の右側面視において、連結部Ｒ３の前後方向の中央位置Ｒ３ｃから上部連結ベルト部２４の延在方向で延び、基部２２との交点Ｒ４に至る仮想の線分ＬＮ５を設定したときに、線分ＬＮ４と線分ＬＮ５とのなす角度θｂ（０≦θｂ≦９０°）は、実質的にグリップベルト２１単体での分岐角度θａ（図５参照）と同じになる。
【００５１】
ここで、連結部Ｒ３においてグリップベルト２１にかかる張力Ｔ３が、張力Ｔ１，Ｔ２に及ぼす影響を考えると、張力Ｔ３は線分ＬＮ５の方向の力であるため、角度θｂが大きいほど（９０°に近いほど）、張力Ｔ３の線分ＬＮ４に沿う方向の分力が小さくなり、張力Ｔ１，Ｔ２に及ぼす影響が小さくなる。
また、逆に、張力Ｔ１，Ｔ２が、張力Ｔ３に及ぼす影響も小さくなる。
すなわち、角度θｂ、すなわち分岐角度θａが９０°に近いほど、上部連結ベルト部２４の張り具合が基部２２の張り具合で変わりにくく、好ましい。
【００５２】
ただし、角度θｂは、親指ｆ１を進入させるため、ある程度の抉り量の分岐部２２ａを設ける必要があること、及び上部連結ベルト部２４とズームスイッチ７を操作する人差し指ｆ２との干渉を避ける必要があること、により、あまり９０°に近づけることができず、自ずと好適な範囲が定まる。
検討の結果、角度θｂは、概ね４５°〜７０°の範囲で設定すると、分岐形状が無理なく実現でき、張り具合の効果も得られるので好ましい。
【００５３】
また、図７に示されるように、グリップベルト２１の基部２２の上縁部２２ｆは、本体部１を保持した右手ｆの、親指ｆ１を除く４本の指の中手指節関節ｆ２ａ，ｆ３ａ，ｆ４ａ，ｆ５ａ（以下、これらを纏めて中手指節関節群ｆａとも称する）よりも下方に位置している。
すなわち、基部２２は、本体部１を保持した右手ｆの中手指節関節群ｆａにかからないようになっている。
【００５４】
中手指節関節群ｆａは、右手ｆが本体部１を保持すべく、親指ｆ１を除く４本の指を筐体２の上面２ａ１（ズームスイッチ７を含む）に載せるよう曲げるため、局部的に突出した部位群である。
従って、グリップベルト２１の基部２２が中手指節関節群ｆａを覆うことなく避けた形状になっていることで、中手指節関節群ｆａは開放され、右手ｆに圧迫感が生じることはない。
これにより，使用者は、本体部１の保持において良好な保持感が得られる。
【００５５】
また、図８に示されるように、グリップベルト２１の基部２２は、本体部１を右手ｆで保持した状態で、当て部２ｂの最大突出位置である位置Ｐ３（図４：高さラインＬＮ）に対応し、位置Ｐ３を右手ｆを挟んで覆うように形成されている。
これにより、図８において、当て部２ｂの位置Ｐ３から上方及び下方に延びる弧状曲線ＬＮ２及び弧状曲線ＬＮ３で示される形状が、右手ｆのひらに包まれるように当たり押圧される。これにより、本体部１を保持した右手ｆの保持感は、より良好になり、かつ本体部１の保持がより安定する。
【００５６】
以上詳述した実施例は、上述の構成に限定されるものではなく、本発明の要旨を逸脱しない範囲において変形した変形例としてもよい。
【００５７】
（変形例１）
例えば、グリップベルト２１は、図９に示される変形例１のグリップベルト２１Ａとしてもよい。
グリップベルト２１Ａは、連結部Ｒ３の位置が、筐体２における上面２ａ１と右側面２ａ４とが接続する稜線部２ａ７の後部ではなく、後面２ａ３と右側面２ａ４との接続する稜線部の上部に設定されるものである。
この例も、グリップベルト２１と同様、３点支持による保持感の向上が得られる。
【００５８】
一方、グリップベルト２１Ａでは、実施例のグリップベルト２１における線分ＬＮ４及び線分ＬＮ５(図７参照)に相当する線分ＬＮ４Ａ,ＬＮ５Ａのなす角度θｂＡが、必然的に角度θｂよりも小さくなる。従って、この観点において実施例のグリップベルト２１の方が好ましい。
【００５９】
（変形例２）
例えば、グリップベルト２１は、図１０に示される変形例２のグリップベルト２１Ｂとしてもよい。
グリップベルト２１Ｂは、グリップベルト２１Ａに対し、連結部Ｒ２及び連結部Ｒ３の位置が同じで、連結部Ｒ１の位置が、筐体２の下部ではなく中央部（例えば光軸ＣＬの位置）に設定されるものである。
この例も、グリップベルト２１，２１Ａと同様に、３点支持による保持感の向上が得られる。
【００６０】
一方、グリップベルト２１Ｂでは、実施例のグリップベルト２１における線分ＬＮ４に相当する線分ＬＮ４Ｂが、前上がりに傾斜する。そのため、右手ｆに対するグリップベルト２１Ｂの長さ調整が、グリップベルト２１，２１Ａほど容易ではない。また、連結部Ｒ１の位置上昇に伴い、基部２２Ｂの上縁部２２Ｂｆの位置も必然的に上方にずれるので、基部２２Ｂが中手指節関節群ｆａにかかってしまう可能性がある。この観点で、グリップベルト２１，２１Ａの方が好ましい。
【００６１】
撮像装置５１は、動画を撮影するビデオカメラ及び静止画を撮影するスチルカメラに限定されない。手で保持して画像を撮像する装置であればよい。
ズームスイッチ７及び録画釦８は、それぞれ上述の位置に備えてなくてもよい。
グリップベルト２１を筐体２の連結部Ｒ１〜Ｒ３に取り付ける方法、及びそれぞれの連結部Ｒ１〜Ｒ３において使用者が取り付け可能であるか否かは限定されない。
グリップベルト２１の延面距離調整は、上述の面ファスナに係止させることで行う態様に限定されない。長さ調整可能なバックルによるものでもよい。
また、面ファスナやバックルによる長さ調整によらず、グリップベルト２１自体を伸縮可能なゴム材で形成し、その伸縮で手にフィットさせるものであってもよい。
実施例及び各変形例は、本体部１を右手ｆで保持するように、右側面にグリップベルト２１，２１Ａ，２１Ｂを配置してものを説明したが、左右対称形状として、本体部１を左手で保持するためのグリップベルト及びそれを備えた撮像装置であってもよい。
【符号の説明】
【００６２】
１  本体部
２  筐体
２ａ１  上面、    ２ａ２  下面、    ２ａ３  後面、    ２ａ４  右側面
２ａ５  左側面、    ２ａ６  前面、    ２ａ７  稜線部、    ２ｂ  当て部
２ｃ  フックベルト、    ２ｃ１  連結ベルト、    ２ｃ２  リング
２ｄ  フック、    ２ｄ１  基部、    ２ｄ２  前端部
２ｅ  ブラケット、    ２ｅ１  孔
３  レンズ部
４  撮像素子
５  回路部
６  モニタ部
７  ズームスイッチ、    ７ａ  後端部
８  録画釦
９  端子カバー
１０  バッテリ
２１，２１Ａ，２１Ｂ  グリップベルト
２２  基部
２２ａ  分岐部、    ２２ａ１  後縁部、    ２２ｂ  第１面ファスナ
２２ｃ  第２面ファスナ、    ２２ｄ  第４面ファスナ、    ２２ｅ  前端部
２２ｆ，２２Ｂｆ  上縁部、    ２２ｇ  分離上部、    ２２ｓ１  右面
２３  下部連結ベルト
２４  上部連結ベルト部
２４ａ  第３面ファスナ、    ２４ｂ  折り返し部分
５１  ビデオカメラ（撮像装置）
ＣＬ  光軸
ｆ  右手
ｆ１  親指、    ｆ１ａ  根本部位、    ｆ２  人差し指、    ｆ３  中指
ｆ４  薬指、    ｆ５  小指、    ｆａ  中手指節関節群
ｆ２ａ，ｆ３ａ，ｆ４ａ，ｆ５ａ  中手指節関節
Ｇ  重心
Ｈ１２，Ｈ２３  高さ
Ｌａ  距離、    ＬＮ  高さライン
ＬＮ１，ＬＮ４，ＬＮ５，ＬＮ４Ａ，ＬＮ５Ａ，ＬＮ４Ｂ，  線分
ＬＮ２，ＬＮ３  弧状曲線
Ｐ１，Ｐ２，Ｐ３  位置
Ｒ１，Ｒ２，Ｒ３  連結部、    Ｒ１ｃ，Ｒ２ｃ  中央位置、    Ｒ４  交点
Ｔ１，Ｔ２，Ｔ３  張力
θａ  分岐角度、    θｂ  角度
【図１】
2018097188.tif 000003
【図２】
2018097188.tif 000004
【図３】
2018097188.tif 000005
【図４】
2018097188.tif 000006
【図５】
2018097188.tif 000007
【図６】
2018097188.tif 000008
【図７】
2018097188.tif 000009
【図８】
2018097188.tif 000010
【図９】
2018097188.tif 000011
【図１０】
2018097188.tif 000012